(57)【要約】【課題】造営材の面からの突出寸法が小さく、かつ、大きな発光面を有する照明装置を提供することである。【解決手段】実施形態に係る照明装置は、有機発光ダイオードを有し、造営材に設けられた孔の開口よりも大きな発光部と、発光部の発光面とは反対側に設けられた制御部と、発光部と制御部とを一体に覆い、造営材に設けられた孔の内部に設けられる筐体と、を備えている。【選択図】図４
2014011063.tif 000002
【特許請求の範囲】
【請求項１】
有機発光ダイオードを有し、造営材に設けられた孔の開口よりも大きな発光部と；
前記発光部の発光面とは反対側に設けられた制御部と；
前記発光部と、前記制御部と、を一体に覆い、前記造営材に設けられた孔の内部に設けられる筐体と；
を具備した照明装置。
【請求項２】
有機発光ダイオードを有した発光部と；
前記発光部の発光面とは反対側に設けられた制御部と；
前記発光部と、前記制御部と、を一体に覆う筐体と；
を具備した照明装置。
【請求項３】
前記筐体は、前記発光部と、前記制御部と、を密閉している請求項１または２に記載の照明装置。
【請求項４】
前記筐体は、前記制御部に接続した配線を引き出す孔を有し、
前記配線を引き出す孔と、前記配線と、の間には樹脂が充填されている請求項１〜３のいずれか１つに記載の照明装置。
【請求項５】
前記制御部は、基板と、前記基板に実装された回路部品と、前記基板に実装された前記回路部品を封止する封止部と、を有する請求項１〜４のいずれか１つに記載の照明装置。
【請求項６】
前記発光部は、透光性を有する第１の電極層と、反射性を有する第２の電極層と、前記第１の電極層と前記第２の電極層との間に設けられ有機発光材料を含む発光層と、を有する請求項１〜５のいずれか１つに記載の照明装置。
【発明の詳細な説明】
【技術分野】
【０００１】
後述する実施形態は、概ね、照明装置に関する。
【背景技術】
【０００２】
光源に発光ダイオードを用いた照明装置がある。  
発光ダイオードを用いた照明装置においては、発光ダイオードからの光を導光板により拡散させることで面照明としている。  
しかしながら、発光ダイオードを用いた照明装置の場合には、多数の発光ダイオードを並べ、多数の発光ダイオードの照射側に導光板などを設ける必要がある。そのため、造営材の面からの突出寸法が大きくなるという問題がある。  
この場合、造営材の面上に導光板などを設け、造営材の内部に埋め込まれた発光ダイオードから導光板に光を導くようにすると、造営材の面からの突出寸法を小さくすることができる。  
ところが、造営材の内部に埋め込まれた発光ダイオードから導光板に光を導くようにすると、造営材の面上の導光板に光らない領域が発生するという問題が生じる。  
すなわち、発光ダイオードを用いた照明装置では、造営材の面からの突出寸法が小さく、かつ、大きな発光面を有する照明装置とすることが困難であった。
【先行技術文献】
【特許文献】
【０００３】
【特許文献１】特開２００７−１４９４６５号公報
【発明の概要】
【発明が解決しようとする課題】
【０００４】
本発明が解決しようとする課題は、造営材の面からの突出寸法が小さく、かつ、大きな発光面を有する照明装置を提供することである。
【課題を解決するための手段】
【０００５】
実施形態に係る照明装置は、有機発光ダイオードを有し、造営材に設けられた孔の開口よりも大きな発光部と、発光部の発光面とは反対側に設けられた制御部と、発光部と制御部とを一体に覆い、造営材に設けられた孔の内部に設けられる筐体と、を備えている。
【発明の効果】
【０００６】
本発明の実施形態によれば、造営材の面からの突出寸法が小さく、かつ、大きな発光面を有する照明装置を提供することができる。
【図面の簡単な説明】
【０００７】
【図１】（ａ）は、第１の実施形態に係る照明装置１００を例示するための模式部分断面図である。（ｂ）は、（ａ）におけるＡ−Ａ矢視図である。
【図２】発光部２を例示するための模式断面図である。
【図３】第１の実施形態に係る照明装置１００の設置について例示するための模式部分断面図である。
【図４】第２の実施形態に係る照明装置１００の設置について例示するための模式部分断面図である。
【発明を実施するための形態】
【０００８】
第１の発明は、有機発光ダイオードを有し、造営材に設けられた孔の開口よりも大きな発光部と、発光部の発光面とは反対側に設けられた制御部と、発光部と制御部とを一体に覆い、造営材に設けられた孔の内部に設けられる筐体と、を備えた照明装置である。  
この照明装置においては、有機発光ダイオードを有した発光部と、発光部の発光面とは反対側に設けられた制御部を一体化している。  
そのため、造営材の面からの突出寸法が小さく、かつ、大きな発光面を有する照明装置とすることができる。  
第２の発明は、有機発光ダイオードを有した発光部と、発光部の発光面とは反対側に設けられた制御部と、発光部と、制御部と、を一体に覆う筐体と、を備えた照明装置である。
この照明装置においては、有機発光ダイオードを有した発光部と、発光部の発光面とは反対側に設けられた制御部を一体化している。  
そのため、発光部の厚みが薄く、かつ、大きな発光面を有する照明装置とすることができる。
【０００９】
第３の発明は、第１または第２の発明において、筐体は、発光部と制御部とを密閉している照明装置である。  
この照明装置においては、筐体により、発光部と制御部とを密閉している。  
そのため、防水性能の向上を図ることができる。
【００１０】
第４の発明は、第１〜第３のいずれか１つの発明において、筐体は、制御部に接続した配線を引き出す孔を有し、配線を引き出す孔と配線との間には樹脂が充填されている照明装置である。  
この照明装置によれば、防水性能のさらなる向上を図ることができる。
【００１１】
第５の発明は、第１〜第４のいずれか１つの発明において、制御部は、基板と、基板に実装された回路部品と、基板に実装された回路部品を封止する封止部と、を備えた照明装置である。  
この照明装置によれば、防水性能のさらなる向上を図ることができる。
【００１２】
第６の発明は、第１〜第５のいずれか１つの発明において、発光部は、透光性を有する第１の電極層と、反射性を有する第２の電極層と、第１の電極層と第２の電極層との間に設けられ有機発光材料を含む発光層と、を備えた照明装置である。  
この照明装置によれば、発光部の厚み寸法を小さくすることができ、かつ、発光面を大きくすることができる。
【００１３】
以下、図面を参照しつつ、実施の形態について例示をする。なお、各図面中、同様の構成要素には同一の符号を付して詳細な説明は適宜省略する。  
[第１の実施形態]  
図１は、第１の実施形態に係る照明装置１００を例示するための模式図である。
なお、図１（ａ）は照明装置１００の模式部分断面図であり、図１（ｂ）は図１（ａ）におけるＡ−Ａ矢視図である。  
図２は、発光部２を例示するための模式断面図である。  
図１（ａ）、（ｂ）に示すように、照明装置１００には、筐体１、発光部２、制御部３、カバー４が設けられている。
【００１４】
筐体１は、樹脂材料などの絶縁材料から形成されている。  
筐体１は、発光部２と制御部３とを一体に覆っている。  
筐体１は、発光部２と制御部３とを密閉している。  
また、後述するように、筐体１は、造営材２００に設けられた孔の内部（例えば、スイッチボックス２０１の空間２０１ａ内）に設けられる。
【００１５】
筐体１は、発光部２を保持する保持部１ａと、制御部３を収納する収納部１ｂとを有する。  
保持部１ａは、照明装置１００の正面側に開口を有する凹部１ａ１を有し、凹部１ａ１の内部に発光部２を保持する。  
発光部２の保持方法には特に限定はなく、例えば、発光部２の端部を挟み込んだり、ネジなどで締結したり、接着剤などで接着したりすることができる。
【００１６】
収納部１ｂは、保持部１ａの発光部２が保持される側とは反対側に設けられている。  
収納部１ｂは、制御部３を収納する凹部１ｂ１を有し、凹部１ｂ１は凹部１ａ１の底面１ａ２に開口している。  
凹部１ｂ１の内部には制御部３が収納されている。  
収納部１ｂの底面側の側壁には孔が設けられ、後述する制御部３に接続された配線３ｄが孔を介して収納部１ｂの外部に引き出せるようになっている。  
収納部１ｂに設けられた孔と、配線３ｄとの間の隙間にはシリコーン樹脂などが充填され防水性を確保できるようになっている。  
すなわち、筐体１は、制御部３に接続した配線３ｄを引き出す孔を有している。そして、配線３ｄを引き出す孔と、配線３ｄと、の間には樹脂が充填されている。
【００１７】
発光部２は、板状を呈し、例えば、自発光素子である有機発光ダイオード（OLED；Organic light-emitting diode）を有したものとすることができる。  
後述するように、発光部２は、造営材２００に設けられた孔の開口よりも大きなものとすることができる。  
例えば、後述するスイッチボックス２０１などが設けられる場合には、発光部２は、スイッチボックス２０１などの開口よりも大きなものとすることができる。  
また、スイッチボックス２０１が設けられない場合には、発光部２は、造営材２００の面２００ａに設けられた孔の開口よりも大きなものとすることができる。  
すなわち、発光部２は、造営材２００に設けられた照明装置１００が取り付けられる孔の開口よりも大きなものとすることができる。  
発光部２と制御部３とは、配線５を介して接続されている。
【００１８】
図２に示すように、発光部２には、基板２ａ、電極層２ｂ（第１の電極層の一例に相当する）、発光層２ｃ、電極層２ｄ（第２の電極層の一例に相当する）、絶縁層２ｅが設けられている。  
基板２ａは、透光性を有した材料を用いて形成することができる。  
基板２ａは、例えば、ナトリウムやカリウムなどのアルカリ成分を含まない無アルカリガラスなどを用いて形成することができる。  
なお、基板２ａの電極層２ｂが設けられる側とは反対側の面が、発光面２ｆとなる。
【００１９】
電極層２ｂは、基板２ａの発光面２ｆとは反対側の面に設けられている。  
電極層２ｂは、発光層２ｃに正孔（ホール）を注入するための電極（陽極）とすることができる。  
また、電極層２ｂは、発光層２ｃから照射された光を基板２ａ側に透過させる機能をも有している。  
電極層２ｂは、例えば、ＩＴＯ（Indium Tin Oxide：酸化インジウム錫）などのような導電性と透光性とを有した材料を用いて形成することができる。
【００２０】
発光層２ｃは、電極層２ｂの基板２ａが設けられる側とは反対側に設けられている。  
発光層２ｃは、有機発光材料を含んだものとすることができる。  
例えば、発光層２ｃは、４，４’−ビス［Ｎ−（２−ナフチル）−Ｎ−フェニル−アミノ］ビフェニル（一般的に、α−ＮＰＤともいう）を含む正孔輸送層、トリス（８−キノリノラト）アルミニウム錯体（一般的に、Ａｌｑ３ともいう）を含む有機発光層、フッ化リチウム（ＬｉＦ）を含む電子注入層を積層したものとすることができる。
【００２１】
ただし、発光層２ｃの材料や構成は例示をしたものに限定されるわけではなく適宜変更することができる。  
例えば、発光層２ｃは、有機発光層のみからなる単層構造とすることもできるし、フタロシアニンなどを含む正孔注入層、フルオレン誘導体などを含む電子輸送層をさらに有する多層構造とすることもできる。また、発光層２ｃは、複数の有機発光層をＨＡＴ（ＣＮ）６などを含む電荷発生層（ＣＧＬ；Charge Generation Layer）を介して直列に接続したマルチフォトンエミッション（ＭＰＥ；Multi-Photo-Emission）構造を有するものとすることもできる。
【００２２】
電極層２ｄは、発光層２ｃの電極層２ｂが設けられる側とは反対側に設けられている。  電極層２ｄは、発光部２に電子を注入するための電極（陰極）とすることができる。  
電極層２ｄは、例えば、アルミニウムなどのような導電性と光の反射性とを有した材料を用いて形成することができる。  
絶縁層２ｅは、電極層２ｄの発光層２ｃが設けられる側とは反対側に設けられている。  絶縁層２ｅは、例えば、樹脂などの絶縁材料を用いて形成することができる。
【００２３】
ここで、電極層２ｄ、および絶縁層２ｅを光が透過する材料から形成すると、照明装置１００の消灯時に発光部２の背面側にある制御部３などが透けて見えることになる。  
そのため、電極層２ｄ、および絶縁層２ｅの少なくともいずれかが遮光性を有していることが好ましい。  
この場合、電極層２ｄをアルミニウムなどの金属から形成すれば、照明装置１００の消灯時に発光部２の背面側にある制御部３などが透けて見えることを防止することができる。
【００２４】
制御部３は、発光部２の発光面２ｆとは反対側に設けられている。  
制御部３は、発光部２の中央付近に位置するように設けられている。  
制御部３は、後述するスイッチボックス２０１などの開口寸法よりも小さいものとなっている。
【００２５】
制御部３には、基板３ａ、回路部品３ｂ、封止部３ｃ、配線３ｄが設けられている。  
制御部３は、例えば、発光部２に電力を供給する点灯回路を有したものとすることができる。  
基板３ａは、例えば、エポキシ樹脂やセラミックスなどを用いた基材の表面に配線パターンが形成されたものとすることができる。  
回路部品３ｂは、基板３ａ上に実装されている。  
回路部品３ｂは、例えば、点灯回路を構成する部品とすることができる。
【００２６】
回路部品３ｂが点灯回路を構成する部品である場合には、例えば、交流を全波整流するダイオード、整流された脈流電圧を平滑化するコンデンサ、スイッチング素子などとすることができる。
【００２７】
ただし、回路部品３ｂは、例示をしたものに限定されるわけではなく、点灯回路を構成する部品であればよい。  
また、制御部３は、例えば、調光回路などをさらに有していてもよい。
この場合には、回路部品３ｂは、調光回路などを構成する部品をさらに備えたものとなる。
【００２８】
封止部３ｃは、基板３ａ上に実装された回路部品３ｂを封止する。  
封止部３ｃは、例えば、シリコーン樹脂などを充填することで形成されたものとすることができる。  
この場合、制御部３は、封止部３ｃにより、筐体１の内部に保持される。  
封止部３ｃは、基板３ａ上に実装された回路部品３ｂの電気絶縁性を確保するために設けられている。  
また、封止部３ｃを樹脂などを充填して形成することで、放水性を確保することができる。  
すなわち、制御部３は、封止部３ｃにより、防水されている。
【００２９】
配線３ｄは、一方の端部が基板３ａに設けられた端子に接続されている。  
配線３ｄは、収納部１ｂの壁面に設けられた孔を介して収納部１ｂの外部に引き出されている。  
後述するように、配線３ｄの他方の端部は、スイッチボックス２０１などの内部において外部電源の配線２０２に接続される。
【００３０】
カバー４は、発光部２の発光面２ｆ側を覆うように設けられている。  
カバー４は、凹部１ａ１の開口を塞ぐように設けられている。  
この場合、カバー４の周縁を保持部１ａに接着することができる。  
カバー４の周縁を保持部１ａに接着すれば、放水性を確保することができる。
【００３１】
カバー４は、発光部２から照射された光を透過する材料から形成されている。  
カバー４は、例えば、アクリルなどの樹脂材料やガラスなどの無機材料から形成することができる。  
この場合、カバー４は、透明材料から形成することもできるし、色の付いた材料から形成することもできる。
【００３２】
次に、照明装置１００の組立について例示する。  
まず、回路部品３ｂが実装され、配線３ｄ、配線５が接続された基板３ａを凹部１ａ１の開口から凹部１ｂ１の内部に挿入する。  
この際、配線３ｄは、収納部１ｂの壁面に設けられた孔を介して収納部１ｂの外部に引き出される。
【００３３】
次に、凹部１ａ１の開口から充填ノズルを挿入し、凹部１ｂ１の内部にシリコーン樹脂などを充填して、基板３ａ上に実装された回路部品３ｂを封止する封止部３ｃを形成する。
この場合、配線３ｄが引き出された部分にもシリコーン樹脂などを充填する。  
次に、発光部２に配線５を接続する。
なお、発光部２に配線５を接続した後、基板３ａを凹部１ｂ１の内部に挿入し、その後、封止部３ｃを形成するようにしてもよい。  
また、基板３ａを凹部１ｂ１の内部に挿入した後、発光部２に配線５を接続し、その後、封止部３ｃを形成するようにしてもよい。
【００３４】
次に、凹部１ａ１の内部に発光部２を保持する。  
この場合、例えば、発光部２の端部を挟み込ませたり、ネジなどで締結したり、接着剤などで接着したりすることができる。  
次に、カバー４を凹部１ａ１の開口を塞ぐように取り付ける。  
この場合、例えば、カバー４の周縁を保持部１ａに接着することができる。  
以上のようにして、防水構造を有する照明装置１００を組み立てることができる。
【００３５】
次に、照明装置１００の設置について例示する。  
図３は、第１の実施形態に係る照明装置１００の設置について例示するための模式部分断面図である。  
図３に示すように、照明装置１００は、埋め込み型の照明装置である。  
造営材２００の内部には、スイッチボックス２０１が埋め込まれている。  
スイッチボックス２０１は、造営材２００の面２００ａに開口している。  
スイッチボックス２０１には特に限定はないが、例えば、ＪＩＳ  Ｃ８３４０に規定されている電線管用金属製ボックスなどとすることができる。  
なお、一例として、スイッチボックス２０１を例示したが、これに限定されるわけではない。  
造営材２００に埋め込まれ、造営材２００の面２００ａに開口するボックスであればよい。  
図３に例示をしたスイッチボックス２０１は、ＪＩＳ  Ｃ８３４０に規定されている１個用のものであるが、照明装置１００の大きさに応じて２個用以上のものを用いることもできる。
【００３６】
スイッチボックス２０１は、内部に空間２０１ａを有している。そして、空間２０１ａ内において、照明装置１００の配線３ｄと、外部電源の配線２０２とが接続されている。なお、配線３ｄと配線２０２との接続部分２０２ａは絶縁されている。  
空間２０１ａの造営材２００の面２００ａに平行な断面の寸法は、開口部２０１ｃの造営材２００の面２００ａに平行な断面の寸法よりも大きくなっている。
【００３７】
また、スイッチボックス２０１には、空間２０１ａに突出する取付部２０１ｂが設けられている。  
取付部２０１ｂには、後述する取付器具本体２０３をネジ止めするための雌ネジが設けられている。  
なお、雌ネジは、スイッチボックス２０１の開口部２０１ｃの内部に位置するようになっている。
【００３８】
取付器具本体２０３は、枠状を呈し、中央に照明装置１００の筐体１の収納部１ｂを通す孔が設けられている。  
取付器具本体２０３は、造営材２００に設けられた孔を囲うように設けられる。  
取付器具本体２０３は、ゴムなどからなるパッキン２０４を介して造営材２００の面２００ａに密着させて取り付けられている。  
取付器具本体２０３は、皿ネジ２０５などを用いて、スイッチボックス２０１の取付部２０１ｂに取り付けられている。  
取付器具本体２０３の材料には特に限定がなく、例えば樹脂材料や金属材料などを用いることができる。
【００３９】
取付枠２０６は、図示しないネジにより取付器具本体２０３に取り付けられている。  
取付枠２０６は、枠状を呈し、取付枠２０６と取付器具本体２０３との間に照明装置１００の発光部２を挟み込むようにして保持する。  
照明装置１００を取り付けた際には、取付枠２０６の中央に発光部２が露出する。  
また、取付枠２０６と取付器具本体２０３との間には、ゴムなどからなるパッキン２０７が設けられている。
【００４０】
次に、照明装置１００の設置について例示する。  
まず、パッキン２０４を介して、取付器具本体２０３を造営材２００の面２００ａに取り付ける。  
この際、取付器具本体２０３は、皿ネジ２０５などを用いて、スイッチボックス２０１の取付部２０１ｂに取り付けられる。
【００４１】
次に、照明装置１００の筐体１の収納部１ｂをスイッチボックス２０１の空間２０１ａに入れるようにして、照明装置１００を取付器具本体２０３に保持させる。  
なお、スイッチボックス２０１の空間２０１ａ内において、照明装置１００の配線３ｄと、外部電源の配線２０２とを接続しておく。
【００４２】
次に、パッキン２０７を介して、取付枠２０６を取付器具本体２０３に取り付ける。  
取付枠２０６は、図示しないネジなどを用いて、取付器具本体２０３に取り付けられる。  取付枠２０６を取り付けることで、取付枠２０６と取付器具本体２０３との間に照明装置１００が挟み込まれることで保持される。  
以上のようにして、照明装置１００を設置することができる。
【００４３】
本実施の形態に係る照明装置１００においては、有機発光ダイオードを有した板状の発光部２と、発光部２の発光面２ｆとは反対側に設けられた制御部３とを一体化している。  そのため、造営材２００の面２００ａからの突出寸法が小さく、かつ、大きな発光面２ｆを有する照明装置１００とすることができる。  
例えば、造営材２００の面２００ａからの突出寸法Ｈが１５ｍｍ以下となるようにすることができる。  
また、照明装置１００の厚み寸法を小さくすることができ、かつ、造営材２００への埋め込み深さ寸法を小さくすることができる。  
また、照明装置１００の外観の見栄えをよくすることができる。
【００４４】
また、発光部２と制御部３とを一体化するとともに、樹脂充填による密閉構造としているので防水性能の向上を図ることができる。  
また、取付器具本体２０３、取付枠２０６を用いた設置が可能となるので、施工性を向上させることができる。  
そのため、施工性と防水性を向上させることができる照明装置１００とすることができる。
[第２の実施形態]  
図４は、第２の実施形態に係る照明装置１００の設置について例示するための模式部分断面図である。  
前述したように、照明装置１００には、有機発光ダイオードを有した発光部２が設けられている。
【００４５】
ここで、発光ダイオードを用いた照明装置とすれば、多数の発光ダイオードを並べ、多数の発光ダイオードの照射側に導光板などを設ける必要がある。そのため、造営材２００の面２００ａからの突出寸法が大きくなる。  
この場合、スイッチボックス２０１の空間２０１ａ内に発光ダイオードを設け、造営材２００の面２００ａ上に設けられた導光板に発光ダイオードからの光を導くようにすると、造営材２００の面２００ａ上に設けられた導光板に光らない領域が発生するという問題が生じる。
【００４６】
そして、スイッチボックス２０１の開口寸法Ｌ１よりも長い導光板を用いるものとすれば、光らない領域の発生が顕著となる。  
すなわち、光源に発光ダイオードを用いるものとすれば、造営材２００の面２００ａからの突出寸法が小さく、かつ、大きな発光面２ｆを有する照明装置とすることが困難となる。
【００４７】
これに対して、照明装置１００には、自発光素子である有機発光ダイオードを有した発光部２が設けられている。  
そのため、発光部２の長さ寸法Ｌ２をスイッチボックス２０１の開口寸法Ｌ１よりも長くしても、発光部２の発光面２ｆに光らない領域が発生することがない。  
また、前述したように発光部２は板状とすることができるので、造営材２００の面２００ａからの突出寸法を小さくすることができる。  
すなわち、造営材２００の面２００ａからの突出寸法が小さく、かつ、スイッチボックス２０１の開口よりも大きな発光面２ｆを有する照明装置１００とすることができる。  
この場合、発光部２の発光面２ｆの大きさは、スイッチボックス２０１の開口の大きさにより制限されることがなく、任意の大きさとすることができる。
【００４８】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４９】
１  筐体、１ａ  保持部、１ａ１  凹部、１ｂ  収納部、１ｂ１  凹部、２  発光部、２ａ  基板、２ｂ  電極層、２ｃ  発光層、２ｄ  電極層、２ｅ  絶縁層、２ｆ  発光面、３  制御部、３ａ  基板、３ｂ  回路部品、３ｃ  封止部、３ｄ  配線、４  カバー、１００  照明装置、２００  造営材、２００ａ  面、２０１  スイッチボックス、２０１ａ  空間、２０１ｂ  取付部、２０１ｃ  開口部、２０２  配線、２０３  取付器具本体、２０４  パッキン、２０５  皿ネジ、２０６  取付枠、２０７  パッキン
【図１】
2014011063.tif 000003
【図２】
2014011063.tif 000004
【図３】
2014011063.tif 000005
【図４】
2014011063.tif 000006